(57)【要約】【課題】  ２枚蓋を１枚蓋にするためにはトップカバー部と外槽の間を取り出し口より大きくした弾性体のベローで接続する必要があるが狭い空間で行うため非常に作業性が悪く、また、通風路は蓋を介して行うことから通風路と蓋の接続が問題となる。【解決手段】  本発明は、トップカバー部と外槽のシールの作業性を改善するためトップカバー部に弾性体のベローズをワバネで固定するとともにトップカバー部の蓋開閉の回転ヒンジに蓋を取り付け蓋に通風路を設けて温風を噴き出す構造とすることにより１枚蓋を構成した構造の洗濯乾燥機としたことを特徴とする。【選択図】  図１
2006230716.tif 000002
【特許請求の範囲】
【請求項１】
縦形洗濯乾燥機において、洗濯する洗濯槽の中央底部に洗濯物を攪拌する攪拌羽根を設け、洗濯槽で洗い・すすぎ・脱水と乾燥の工程を備え、洗濯槽を内包する外槽と洗濯機本体を覆うトップカバーを上下左右及び外周方向に自由に動く弾性体のベローズで接続し、洗濯物を出し入れする蓋を１枚蓋で構成した洗濯乾燥機において、ベローズとトップカバーをワバネで固定したことを特徴とする洗濯乾燥機。
【請求項２】
縦形洗濯乾燥機において、洗濯する洗濯槽の中央底部に洗濯物を攪拌する攪拌羽根を設け、洗濯槽で洗い・すすぎ・脱水と乾燥の工程を備えた洗濯乾燥機において、洗濯物を出し入れする蓋を１枚蓋とし、蓋部に温風の通路と吹き出し口を設け、送風路と蓋は回転ヒンジにより回転自在に構成され、蓋を閉にしたとき送風通路が構成され、直接洗濯物に送風するようにしたことを特徴とした縦形洗濯乾燥機。
【請求項３】
請求項２において、温風の通路と吹き出し口を設けた蓋はその中間に開閉ヒンジを設け、蓋を開けたとき、蓋が２分割に折れることを特徴とする洗濯乾燥機。
【請求項４】
請求項３において、送風通路を設けられていない半分の蓋側には、洗濯槽内部が見えることが出来る耐熱性に優れた透明窓を設けたことを特徴とする洗濯乾燥機。
【発明の詳細な説明】
【技術分野】
【０００１】
本発明は蓋を１枚にした縦形の洗濯乾燥機の改良に関する。
【背景技術】
【０００２】
従来の洗濯乾燥機は特許文献１に示すように送風路はトップカバー部に設置されている送風機とヒータを通って外槽内に温風が入り洗濯槽の中の洗濯物を乾燥して外槽から送風機に至る循環経路を構成している。このため、循環経路内は密封する必要から外槽に蓋を設けて洗濯物の出し入れを行っている。また、外槽とトップカバー部の空間には送風機やヒータを搭載しているため高さ方向の空間が取られているためトップカバー上部にもう１枚蓋を付けている。すなわち、２枚蓋構造となっている。このため、洗濯物を取り出すには２枚蓋を開ける必要があり、使い勝手が悪かった。
【０００３】
【特許文献１】特開 ２００５−４９３号公報
【発明の開示】
【発明が解決しようとする課題】
【０００４】
２枚蓋を１枚蓋にするためにはトップカバー部と外槽の間を取り出し口より大きくした弾性体のベローで接続する必要があるが狭い空間で行うため非常に作業性が悪く、また、通風路は蓋を介して行うことから通風路と蓋の接続が問題となる。
【課題を解決するための手段】
【０００５】
本発明は、トップカバー部と外槽のシールの作業性を改善するためトップカバー部に弾性体のベローズをワバネで固定するとともにトップカバー部の蓋開閉の回転ヒンジに蓋を取り付け蓋に通風路を設けて温風を噴き出す構造とすることにより１枚蓋を構成した構造の洗濯乾燥機としたことを特徴とする。
【発明の効果】
【０００６】
本発明によれば、外槽に固定された弾性体のベローズをトップカバーに取り付けるとき反対側は全く見えないためベローズがトップカバー内の所定の位置に挿入されればワバネで確実にベローズを固定できる。また、回転ヒンジにより温風の漏れが少なく蓋を介して洗濯槽の中に供給することができる。
【発明を実施するための最良の形態】
【０００７】
以下、本発明の実施例について、図を引用して説明する。
【実施例】
【０００８】
図１は本発明の一実施例を示す洗濯乾燥機の縦断面図を示す。外枠１に内包されている外槽２は４本の吊棒４により外枠１の上部４隅から支持されている。吊棒４は洗濯や脱水時の振動を外枠に伝えないようにオシバネ５が設けられている。外槽２の内部には洗濯槽３が設けられており、洗濯槽３の中央底部には洗濯物を攪拌し洗濯物に機械力を与え洗濯物に付着した汚れを除去するための撹拌羽根６が設けられている。
【０００９】
また洗濯槽３の上部には脱水時洗濯槽が高速で回転して洗濯物に含まれている水分を遠心力により脱水するとき、防振性を向上するための流体バランサー７が設けられている。また洗濯槽３が高速で回転して洗濯物の含まれた水分を遠心力により脱水するための脱水穴３aが複数個設けられている。
【００１０】
これらの運転は、まずトップカバー８の前面に設けられたコントロールキバン９の操作により、洗濯に必要な水が給水電磁弁１０の操作により注水ホース１１を通って洗濯槽３の内に給水されるように注水口１２が設けられている。洗濯に必要な水は外槽１の底部側壁に設けられたエアートラップ１３の空気圧の変化をＰＳチューブ１４を介して水位センサー１５で検知して制御している。
【００１１】
洗濯物に対して所定量の洗濯水が供給されると外槽２の底部に設けられたモータ１６が駆動し、洗濯時はモータ１６の内部に設けられたクラッチ（図省略）の切換操作により洗濯槽３の底部中央部におある撹拌羽根６が定期的に自動反転して動作し洗濯物に機械力を与えて洗濯を行う。コントロールキバン９に組込まれたマイコンにより自動的に洗濯やすすぎが終了すると内部排水ホース２０を介して接続されている排水弁１９の開閉操作が行われ排水ホース１８から洗濯水、すすぎ水および脱水による洗浄水などが機外へ排水される。
【００１２】
最終すすぎが終了すると、最終脱水では前述したように洗濯槽３を高速で一方向に回転し脱水穴３aから遠心力により洗濯物に含まれた水分を除去して一連の洗濯コースを終了する。
【００１３】
洗濯コースが終了すると乾燥までのコースが選択されていたときはそのまま乾燥工程に移行し、洗濯コースのみの選択であればこのまま終了する。
【００１４】
次に、洗濯コース終了後の乾燥について説明するが最初に乾燥部の構造について説明する。外槽２の上部には上面部をカバーする外槽カバー２５が設けられている。この外槽カバー２５には弾性体なるベローズ２７が複数個の固定ネジ２６により円周上に取り付けられている。また、ベローズ２７はトップカバー８の内側にトップカバー８と一体に成形されたリブ２８にワバネ２９により脱落しないように固定されている。
【００１５】
最終脱水終了後、洗濯物を乾燥する場合には排水弁１９を閉じて洗濯槽３を約３０回／分以下の低速で回転しながら時々羽根６を正逆回転して洗濯物を動かしながらヒータユニット２２に通電し温風を送風ファン２１により送風している。洗濯槽３内の空気を内部排水ホース２０から接続ホース２４を介して凝縮通路２３内を矢印の方向に温風を循環しながらトップカバー８の上面部に設けられた洗濯物を投入するとき開閉する蓋１７の送風路３７に温風を導き、蓋１７に設けられた温風吐出し部３０から矢印で図示したように直接洗濯槽内へ温風を送風する。
【００１６】
温風を洗濯物に送風すると、時間の経過と共に洗濯物の水分が熱により蒸発し湿度の高い温風となり凝縮通路２３を通過する。凝縮通路２３内では湿度の高い温風を凝縮して乾燥効率を上げるため洗濯槽内３内に常時約３Ｌ程度の冷水を散布して凝縮効率を上げる構成としている。
【００１７】
ここで洗濯乾燥機を組立てるとき問題となるとなるのはトップカバー８を組み付ける際、ベローズ２７とトップカバー８を固定する必要がある。手前側から組立てると後ろ側は見えないのであらかじめワバネ２９をベローズ２７にセットしてトップカバー８に挿入した後ワバネ２９を手前側で締め付けることにより確実にトップカバー８にベローズ２７を固定できる。また、温風の循環経路すなわち、送風ファン２１、ヒータユニット２２、送風路３７、蓋１７、温風吐出し部３０、ベローズ２７、洗濯槽３、内部排水ホース２０、接続ホース２４、凝縮通路２３は密封されている。このため、送風路３７と蓋１７の接続構造も重要となる。
【００１８】
図２に本発明の一実施例を示す洗濯乾燥機の運転操作パネル図を示す。操作パネルは図１に示すようにトップカバー８の上面部に備えつけられ、その近傍にコントロールキバン９が配置されている。操作パネル３１部には電源３２があり電源３２を押し、コース選択キー３３により洗濯の標準コースかもしくは洗濯乾燥コースなどを選択し、スタート／一時キー３４を押すことにより運転が開始される。運転開始により、先ず洗濯物の量を自動的に計測する洗濯物量センシングが動作して洗濯物の量に合った水量や洗剤量をＬＥＤ４８で表示してから給水電磁弁の操作により洗濯槽３内に洗濯水が供給される。
【００１９】
図３に本発明の一実施例である洗濯乾燥機の運転工程を示す。給水電磁弁１０からの給水Ｓ０１を受けて、洗濯物に適した水量を水位センサー１５で検知した後、給水を停止し洗い工程Ｓ０２により洗濯槽３の中央底部に具備された羽根６を回動して洗濯をする。洗濯Ｓ０２終了後、洗濯水を排水する排水工程Ｓ０３へ移行する。排水工程Ｓ０３では、排水弁１９を開放し汚れた洗剤液を洗濯機外に排水ホース１８から排水される。排水Ｓ０３が終了すると、洗濯物に含まれた洗剤液を洗濯槽３の高速回転により脱水穴８から遠心力により脱水Ｓ０４される。
【００２０】
次に、脱水終了後には洗濯物をすすぐための清水を給水する。給水は洗濯時の給水Ｓ０１と同じ動作により洗濯槽内３内にすすぎ用の清水が供給される。すすぎに必要な清水が供給された後は、すすぎ工程Ｓ０５へ移行してすすぎがおこなわれる。すすぎ工程Ｓ０５は同じ動作で２回（すすぎ２）行われた後、排水Ｓ０３をして最終脱水Ｓ０６工程へ移行する。最終脱水工程Ｓ０６は、工程途中の脱水工程Ｓ０４と同じ制御にて運転されるが、最終脱水工程では、洗濯物の水分を十分に脱水するために脱水時間の延長や脱水回転数を高速とした制御が行われ洗濯コースが終了する。
【００２１】
乾燥まで自動的に進行する洗濯乾燥コースの場合には、最終脱水Ｓ０６が終了すると乾燥工程Ｓ０７に自動進行するが、乾燥したくない洗濯物を取り出し、乾燥したい洗濯物のみを洗濯槽３内に残して乾燥する場合には、図２に示す操作パネル３１部の乾燥のみのキーを設定してスタート／ストップキー３４を押せば乾燥工程Ｓ０７に移行して乾燥運転が開始される。
【００２２】
図４は、本発明の一実施例を示す蓋部の拡大図を示す。蓋１７は後部の両側にフタヒンジ３５が設けられており、このフタヒンジ３５には、蓋１７を自在に開閉できるように回動軸３６が設けられ、トップカバー８部に接続されている。また、蓋１７は蓋のほぼ中央部に開閉ヒンジ３９により蓋前１７bと蓋後１７aが接続されており、蓋前１７bと蓋後１７aは蓋１７を開けることにより折れることが出来る構成となっている。また、蓋前１７bはその中央部付近が透明なる耐熱性のガラス等で構成されており、この透明窓４０から洗濯槽３内を見ることができ、脱水後の布絡みの手動調整や乾燥時の布絡みの手動調整を行うことができる。蓋後１７aの後部は送風ファン２１から送られた洗濯槽３内の空気をヒータユニット２２内のヒータで温風にされた高温の空気が洗濯槽３内へ送る送風路３７が取り付けられている。また、蓋１７aの内側である洗濯槽３側には複数個の送風穴３８が設けられ、この送風穴３８から温風が洗濯槽３内へ送り込まれる構成となっている。
【００２３】
図５は、本発明の一実施例を示す蓋部の部分断面図を示す。ヒータユニット２２内のヒータで暖められた温風は送風路３７を通り矢印で示した流れに沿って蓋１７aの方へ送り込まれる。蓋１７aの内部の温風が通過する下面部１７eは耐熱性で形成された部材で出来ている。蓋１７aの内側である洗濯槽３側に面し、洗濯槽３内へ温風を送る部分には、送風穴３８が複数個設けられた金属板４１が取り付けネジ４２により蓋１７aの内側に取り付けられている。また、蓋１７aの上面部１７cは温風により高熱となるため、熱を遮断する空気層１７dは補強リブ１７fで補強された構成となっている。また、この空気層１７dに断熱材としてガラス繊維、ロックウール及び真空断熱材を挿入することにより更に蓋１７c面への熱伝導及び熱伝達を小さくすることができ、皮膚が触れても問題の無い構成とすることができる。
【００２４】
送風路３７と蓋１７との接続は、お互いの嵌合部は先端を円筒状として、蓋１７を回転出来るヒンジ構造としている。回動ヒンジ４３は蓋３８が閉められた状態の場合には送風路３７からの温風が通過できるように開口部４４を有している。蓋３８が開いたときは遮断されるので送風ファンが慣性で回転していても送風は完全に遮断されるので熱い空気にさらされることがない。また、送風路３７の円筒状をした下部には 蒸気が結露し水滴となった水を逃がす水抜き穴４５が設けられており直接乾燥した洗濯物に落ちない位置に排出するようにしている。
【００２５】
図６は、本発明の他の一実施例を示す蓋部の部分拡大図を示す。ベローズ２７は下側を外槽２に固定ネジ２６により図１と同様に固定されている。トップカバー８の突起部４６は下に円状に構成されて、ベローズ２７が内周側に挿入固定されている。また、ベローズ２７の内周にはリップ４７が蓋１７の外周に沿って付けられている。トップカバー８の突起部４６にベローズ２７が挿入され、手では容易に挿入できるがより力の加わる運転中には蓋１７により上面部が抑えられるので外れない構造となっている。また蓋前１７bや蓋後１７aとトップカバー８との勘合部には熱が外気に漏れないようにベローズ２７の上面内側にはリップ４７全周にわたって設けられており、蓋１７を閉じた時には、リップ４７によりシールされる構造となっているため少ない力で蓋を開閉することが出来る。また、ベローズ２７をトップカバー８に取付け作業は蓋１７を取付けた後でもできるため、分解、組立作業性がよい。
【図面の簡単な説明】
【００２６】
【図１】本発明の一実施例を示す洗濯乾燥機の縦断面図を示す。
【図２】本発明の一実施例を示す洗濯乾燥機の運転操作パネル図を示す。
【図３】本発明の一実施例である洗濯乾燥機の運転工程を示す。
【図４】本発明の一実施例を示す蓋部の拡大図を示す。
【図５】本発明の一実施例を示す蓋部の部分断面図を示す。
【図６】本発明の他の一実施例を示す蓋部の部分拡大図を示す。
【符号の説明】
【００２７】
３…洗濯槽、６…撹拌羽根、８…トップカバー、１７…蓋、１７d…空気室、２１…送風ファン、２２…ヒータユニット、２７…ベローズ、２９…ワバネ、３７…温風路、３０…温風吐出し部、３７…送風雨露路、３８…蓋 、３９…開閉ヒンジ、４０…透明窓、４１…金属板、４５…水抜き穴。
【図１】
2006230716.tif 000003
【図２】
2006230716.tif 000004
【図３】
2006230716.tif 000005
【図４】
2006230716.tif 000006
【図５】
2006230716.tif 000007
【図６】
2006230716.tif 000008